(57)【要約】【課題】  着信した電話や電子メール等に対応する文字を、受信側のユーザが希望する表示形態で表示させることで、着信した電話や電子メールの送信元となるユーザを、この表示された文字の表示形態に基づいて容易に識別可能とする。【解決手段】  電話帳やアドレス帳に登録されている各ユーザ毎に、該各ユーザの名前、電話番号、電子メールアドレス、電子メール本文等を表示する際に用いる文字のフォント、文字色、文字サイズを予め設定登録しておく。制御部は、送受信した電子メールの一覧画面等を表示する際に、各ユーザに対して設定登録されているフォント、文字色、文字サイズを検出し、この検出したフォント、文字色、文字サイズで、上記送受信した電子メールの一覧画面等を形成して表示する。【選択図】  図４
2007094897.tif 000002
【特許請求の範囲】
【請求項１】
文字情報の表示機能を有する携帯端末装置であって、
各ユーザ毎の電話番号、及び／又は、電子メールアドレスと共に、該電話番号に対応する文字の表示形態、及び／又は、該電子メールアドレスに対応する文字の表示形態を指定する表示形態指定情報が登録された通信情報テーブルと、
発着信時或いは過去に発着信した電話の電話番号に対応する文字の表示を行う際に、上記通信情報テーブルを参照し、該通信情報テーブルに、文字の表示を行う電話番号に対応する表示形態指定情報が記憶されている場合、この表示形態指定情報で指定されている表示形態となるように、上記電話番号に対応する文字の表示制御を行い、及び／又は、送受信時或いは過去に送受信した電子メールアドレスに対応する文字の表示を行う際、上記通信情報テーブルを参照し、該通信情報テーブルに、文字の表示を行う電子メールアドレスに対応する表示形態指定情報が記憶されている場合、この表示形態指定情報で指定されている表示形態となるように、上記電子メールアドレスに対応する文字の表示制御を行う制御手段と
を有することを特徴とする携帯端末装置。
【請求項２】
請求項１に記載の携帯端末装置であって、
上記通信情報テーブルには、一人或いは複数のユーザが属するグループを示すグループ情報が記憶されており、このグループに対して設定されている上記表示形態指定情報は、当該グループに属するユーザ全体に対して適用される表示形態指定情報として上記通信情報テーブルに記憶されていること
を特徴とする携帯端末装置。
【請求項３】
請求項２に記載の携帯端末装置であって、
上記制御手段は、上記グループに属する一人のユーザに対して上記表示形態指定情報が登録された場合、当該グループに属する他のユーザに対しても同じ表示形態指定情報を登録制御すること
を特徴とする携帯端末装置。
【請求項４】
請求項１から請求項３のうち、いずれか一項に記載の携帯端末装置であって、
上記表示形態指定情報は、文字のフォント、文字の表示色、及び文字の表示サイズのうち、いずれか一つ或いは複数を指定するための情報であること
を特徴とする携帯端末装置。
【請求項５】
発着信時或いは過去に発着信した電話の電話番号に対応する文字の表示を行うタイミング、及び／又は、送受信時或いは過去に送受信した電子メールアドレスに対応する文字の表示を行うタイミングを検出する表示タイミング検出手段としてコンピュータを機能させ、
上記表示タイミング検出手段としてコンピュータを機能させることで、上記電話番号に対応する文字の表示、及び／又は、上記電子メールアドレスに対応する文字の表示のタイミングが検出された際に、各ユーザ毎の電話番号、及び／又は、電子メールアドレスと共に、該電話番号に対応する文字の表示形態、及び／又は、該電子メールアドレスに対応する文字の表示形態を指定する表示形態指定情報が登録された通信情報テーブルから、上記文字の表示を行う電話番号、或いは上記文字の表示を行う電子メールアドレスに対応する表示形態指定情報が記憶されているか否かを判別する登録判別手段としてコンピュータを機能させ、
上記登録判別手段としてコンピュータを機能させることで、上記通信情報テーブルに、文字の表示を行う電話番号に対応する表示形態指定情報が登録されているものと判別された場合、この表示形態指定情報で指定されている表示形態となるように、上記電話番号に対応する文字の表示制御を行い、及び／又は、上記通信情報テーブルに、文字の表示を行う電子メールアドレスに対応する表示形態指定情報が登録されているものと判別された場合、この表示形態指定情報で指定されている表示形態となるように、上記電子メールアドレスに対応する文字の表示制御を行う制御手段としてコンピュータを機能させること
を特徴とする文字表示プログラム。
【発明の詳細な説明】
【技術分野】
【０００１】
本発明は、例えば携帯電話機、ＰＨＳ電話機（PHS：Personal Handyphone System）、ＰＤＡ装置（PDA：Personal Digital Assistant）、ノート型或いはデスクトップ型のパーソナルコンピュータ装置等の、文字情報の表示機能を有する機器に適用して好適な携帯端末装置及び文字表示プログラムに関し、特に表示する文字の表示形態（書体（＝フォント：font）や色等）を、着信した電子メールを送信したユーザ毎や、電子メールの送信先となるユーザ毎等に変更して表示可能とした携帯端末装置及び文字表示プログラムに関する。
【背景技術】
【０００２】
近年における携帯電話機の利用形態としては、通話に利用される場合よりも、電子メール（＝携帯メール）の送受信に利用される場合が多くなっている。これは、通信における文字情報の重要性が高まりつつあり、また、多くのユーザが文字情報を利用する機会が多くなっていることを意味している。
【０００３】
特開２００２−２０７６７１号の公開特許公報（特許文献１）には、表現力豊かに電子メール文章を再現可能とした携帯電話機が開示されている。この携帯電話機の場合、送信側となる携帯電話機は、電子メールに対して、文字の大きさ、文字の色又は文字のフォントを指定する付加情報を付加して送信する。
【０００４】
受信側となる携帯電話機は、この電子メールと共に受信した付加情報に基づいて、電子メールの文章情報を表示する際の文字の大きさ、文字の色又は文字のフォントを変更して表示する。これにより、電子メールを送信したユーザが指定した文字の大きさ、文字の色又は文字のフォントで、受信した電子メールを表示可能となっている。
【０００５】
ここで、今日における携帯電話機は、電話帳やアドレス帳に登録されているユーザから着呼や電子メールの着信があると、この着呼や着信した電子メールに付加されている電話番号或いは電子メールアドレスに基づいて上記電話帳或いはアドレス帳を検索する。そして、着呼や着信した電子メールに対応する名前等を表示部に表示する。これにより、着呼や着信した電子メールの送信元となるユーザを、呼や電子メールの受信側のユーザが容易に識別可能となっている。
【０００６】
【特許文献１】特開２００２−２０７６７１号公報（第４頁：図１）
【発明の開示】
【発明が解決しようとする課題】
【０００７】
しかし、特許文献１に開示されている携帯電話機の場合、電子メールの表示形態は、その電子メールを送信したユーザにより指定された表示形態となる。換言すれば、電子メールを送信したユーザが主体となって決定した表示形態で電子メールの表示がなされることとなる。このため、電子メールを受信した携帯電話機側のユーザが、表示された電子メールの表示形態に基づいて、当該電子メールを送信したユーザを識別することは困難となる。
【０００８】
本発明は上述の課題に鑑みてなされたものであり、着信した呼や電子メール等に対応する文字を、受信側のユーザが希望する表示形態で表示可能とすることで、この表示された文字の表示形態に基づいて、着信した呼や電子メールの送信元となるユーザを容易に識別可能とすることができるような携帯端末装置及び文字表示プログラムの提供を目的とする。
【課題を解決するための手段】
【０００９】
本発明に係る携帯端末装置は、文字情報の表示機能を有する携帯端末装置であって、上述の課題を解決するための手段として、
各ユーザ毎の電話番号、及び／又は、電子メールアドレスと共に、該電話番号に対応する文字の表示形態、及び／又は、該電子メールアドレスに対応する文字の表示形態を指定する表示形態指定情報が登録された通信情報テーブルと、
発着信時或いは過去に発着信した電話の電話番号に対応する文字の表示を行う際に、上記通信情報テーブルを参照し、該通信情報テーブルに、文字の表示を行う電話番号に対応する表示形態指定情報が記憶されている場合、この表示形態指定情報で指定されている表示形態となるように、上記電話番号に対応する文字の表示制御を行い、及び／又は、送受信時或いは過去に送受信した電子メールアドレスに対応する文字の表示を行う際、上記通信情報テーブルを参照し、該通信情報テーブルに、文字の表示を行う電子メールアドレスに対応する表示形態指定情報が記憶されている場合、この表示形態指定情報で指定されている表示形態となるように、上記電子メールアドレスに対応する文字の表示制御を行う制御手段と
を有する。
【００１０】
また、本発明に係る文字表示プログラムは、上述の課題を解決するために、
発着信時或いは過去に発着信した電話の電話番号に対応する文字の表示を行うタイミング、及び／又は、送受信時或いは過去に送受信した電子メールアドレスに対応する文字の表示を行うタイミングを検出する表示タイミング検出手段としてコンピュータを機能させ、
上記表示タイミング検出手段としてコンピュータを機能させることで、上記電話番号に対応する文字の表示、及び／又は、上記電子メールアドレスに対応する文字の表示のタイミングが検出された際に、各ユーザ毎の電話番号、及び／又は、電子メールアドレスと共に、該電話番号に対応する文字の表示形態、及び／又は、該電子メールアドレスに対応する文字の表示形態を指定する表示形態指定情報が登録された通信情報テーブルから、上記文字の表示を行う電話番号、或いは上記文字の表示を行う電子メールアドレスに対応する表示形態指定情報が記憶されているか否かを判別する登録判別手段としてコンピュータを機能させ、
上記登録判別手段としてコンピュータを機能させることで、上記通信情報テーブルに、文字の表示を行う電話番号に対応する表示形態指定情報が登録されているものと判別された場合、この表示形態指定情報で指定されている表示形態となるように、上記電話番号に対応する文字の表示制御を行い、及び／又は、上記通信情報テーブルに、文字の表示を行う電子メールアドレスに対応する表示形態指定情報が登録されているものと判別された場合、この表示形態指定情報で指定されている表示形態となるように、上記電子メールアドレスに対応する文字の表示制御を行う制御手段としてコンピュータを機能させる。
【００１１】
このような本発明は、通信情報テーブルに、各ユーザ毎の電話番号や電子メールアドレスと共に、該電話番号に対応する文字の表示形態、及び該電子メールアドレスに対応する文字の表示形態を指定するための表示形態指定情報を予め登録しておく。
【００１２】
そして、発着信時或いは過去に発着信した電話の電話番号に対応する文字の表示を行う際に、この通信情報テーブルに、文字の表示を行う電話番号に対応する表示形態指定情報が記憶されている場合、この表示形態指定情報で指定されている表示形態となるように、上記電話番号に対応する文字の表示を行う。また、送受信時或いは過去に送受信した電子メールアドレスに対応する文字の表示を行う際に、上記通信情報テーブルに、文字の表示を行う電子メールアドレスに対応する表示形態指定情報が記憶されている場合、この表示形態指定情報で指定されている表示形態となるように、上記電子メールアドレスに対応する文字の表示を行う。
【００１３】
これにより、発着信した電話や電子メール等に対応する文字を、受信側のユーザが希望する表示形態で表示する。なお、上記「文字」の概念は、通常の文字のみならず、記号等も含む概念である。
【発明の効果】
【００１４】
本発明は、発着信した電話や電子メール等に対応する文字を、受信側のユーザが希望する表示形態で表示させることができる。このため、この表示された文字の表示形態に基づいて、発着信した電話や電子メールに対応するユーザを容易に識別可能とすることができる。
【発明を実施するための最良の形態】
【００１５】
本発明は、携帯電話機に適用することができる。
【００１６】
［携帯電話機の構成］
この本発明の実施の形態となる携帯電話機は、図１に示すように無線基地局との間で無線通信を行うアンテナ１及び通信回路２と、着信音や受話音声の音響出力を得るためのスピーカ部３と、送話音声等を集音するためのマイクロホン部４と、画像（動画像、静止画像等）や電子メール（携帯メール）の文字等を表示するための表示部５と、携帯メールや電話番号等の入力操作を行うための操作部６とを有している。
【００１７】
また、この携帯電話機は、発着信等を光で知らせるための発光部７（LED：Light Emitting Diode）と、所望の被写体の静止画像或いは動画像を撮像するためのカメラ部８と、当該携帯電話機の筐体を振動させることで電話や携帯メールの発着信等をユーザに知らせるためのバイブレーションユニット９とを有している。
【００１８】
また、この携帯電話機は、スケジュール帳、音楽データ、静止画像データ、動画像データ、送受信した電子メールデータ等の各種データや、通信処理を行うための通信処理プログラム（コミュニケーションプログラム）、上記カメラ部８の撮像制御を行うためのカメラアプリケーションプログラム等の所定のデータが記憶されたメモリ１０と、このメモリ１０に記憶されている上記コミュニケーションプログラムや各種アプリケーションプログラムに基づいて当該携帯電話機全体の動作を制御する制御部１１とを有している。
【００１９】
上記メモリ１０には、アプリケーションプログラムの一つとして、通信相手となる各ユーザ毎に名前や電子メールの本文等の文字の表示形態を変更して表示可能とする「文字表示プログラム」が記憶されている。
【００２０】
また、メモリ１０には、各ユーザの電話番号及び電子メールアドレス等と共に、名前や電子メールの本文等の文字の表示形態を指定するための情報が記憶された「通信情報テーブル」と、ゴシック体、行書体、明朝体等の各文字のフォントを表示制御するための「フォント情報」と、各文字の表示色を表示制御するための「色情報」とが記憶されている。
【００２１】
［通信情報テーブルに対する文字の表示形態の登録動作］
当該実施の形態の携帯電話機は、通信相手となる各ユーザ毎に名前や電子メールの本文等の文字の表示形態を変更して表示可能となっているのであるが、このような表示制御を行うには、当該携帯電話機のユーザが、通信相手となる各ユーザ毎に所望の表示形態をメモリ１０に記憶されている「通信情報テーブル」に設定登録する必要がある。当該携帯電話機の制御部１１は、メモリ１１に記憶されている「文字表示プログラム」に基づいて、この設定登録制御を行う。
【００２２】
図２に、各項目が設定された「通信情報テーブル」の一例を示す。なお、以下に説明する各設定項目は一例であり、表示する文字（記号等も含む）の表示形態を設定する項目であれば、これらの項目の他、どのような項目を設けてもよい。
【００２３】
この図２からわかるように、「通信情報テーブル」には、名前、名前の読み（読み）、そのユーザの識別グループ（グループ）、グループに対して設定するフォント（グループのフォント）、グループに対して設定する文字色（グループの文字色）、グループに対して設定する文字のサイズ（グループの文字サイズ）、電話番号、電子メールアドレス（アドレス）、名前を表示する際に用いるフォント（名前のフォント）、名前の読みを表示する際に用いるフォント（読みのフォント）、グループ名を表示する際に用いるフォント（グループ名のフォント）、電子メールアドレスを表示する際に用いるフォント（アドレスのフォント）、電子メールアドレスの本文を表示する際に用いるフォント（メールのフォント）、名前を表示する際に用いる文字色（名前の文字色）、名前の読みを表示する際に用いる文字色（読みの文字色）、グループ名を表示する際に用いる文字色（グループ名の文字色）、電子メールアドレスを表示する際に用いる文字色（アドレスの文字色）、電子メールアドレスの本文を表示する際に用いる文字色（メールの文字色）、名前を表示する際に用いる文字サイズ（名前の文字サイズ）、名前の読みを表示する際に用いる文字サイズ（読みの文字サイズ）、グループ名を表示する際に用いる文字サイズ（グループ名の文字サイズ）、電子メールアドレスを表示する際に用いる文字サイズ（アドレスの文字サイズ）、電子メールアドレスの本文を表示する際に用いる文字サイズ（メールの文字サイズ）等の各設定項目があり、当該携帯電話機のユーザは、操作部６を介して入力操作を行うことで、通信相手となる各ユーザ毎に、上記文字のフォント等の表示形態の設定登録を行う。
【００２４】
具体的には、この図２に示す例の場合、ユーザ番号「００１」に対しては、ユーザＡが登録されている。このユーザＡは、当該携帯電話機のユーザの会社の人物であるため、グループとして「会社」が登録され、この会社のグループの人物に対応する文字を表示する際に用いるフォントとして「ゴシック体」が、また、この会社のグループの人物に対応する文字を表示する際に用いる文字色として「赤」が、また、この会社のグループの人物に対応する文字を表示する際に用いる文字サイズとして「１２ポイント（１２ｐ）」が登録されている。
【００２５】
また、「電話番号」としては、ユーザＡの携帯電話機の電話番号である「０９０−１２３４−ＸＸＸＸ」が登録され、「アドレス」としては、ユーザＡの電子メールアドレスである「Ａ＠ＸＸＸ．ｊｐ」が登録されている。
【００２６】
〔グループ設定〕
ここで、当該実施の形態の携帯電話機においては、「グループ」に対してフォント、文字色、文字サイズの設定を行うと、この「グループ」に属する人物に対しては、一義的に、この「グループ」に対して設定されたフォント、文字色、文字サイズが設定されるようになっている。換言すれば、「グループ」に対する設定は、この「グループ」に属する全ての人物に対して統一した設定を行うことを意味している。
【００２７】
具体的には、この例の場合、「会社」のグループのユーザＡに対して、フォントとして「ゴシック体」が、文字色として「赤」が、文字サイズとして「１２Ｐ」が設定されている。そして、この例の場合、「会社」のグループに属する人物は「ユーザＡ」及び「ユーザＤ」である。
【００２８】
このため、当該携帯電話機の制御部１１は、この「会社」のグループに属するユーザＡに対して設定されたフォント、文字色、文字サイズを、同じ「会社」のグループに属するユーザＤに対しても自動的に反映させて設定制御する。これにより、「会社」のグループのユーザＡに対して設定された、「ゴシック体」のフォント、「赤」の文字色、及び「１２Ｐ」の文字サイズが、自動的にユーザＤの「グループのフォント」、「グループの文字色」、「グループの文字サイズ」の各項目に設定されることとなる。
【００２９】
また、「グループのフォント」として「ゴシック体」が設定されたため、制御部１１は、ユーザＡ及びユーザＤの「名前のフォント」、「読みのフォント」、「グループ名のフォント」、「アドレスのフォント」、及び「メールのフォント」の各項目に対して、それぞれ「ゴシック体」のフォントを自動的に設定制御する。
【００３０】
また、「グループの文字色」として「赤」が設定されたため、制御部１１は、ユーザＡ及びユーザＤの「名前の文字色」、「読みの文字色」、「グループ名の文字色」、「アドレスの文字色」、及び「メールの文字色」の各項目に対して、それぞれ「赤」の文字色を自動的に設定制御する。
【００３１】
また、「グループの文字サイズ」として「１２Ｐ」が設定されたため、制御部１１は、ユーザＡ及びユーザＤの「名前の文字サイズ」、「読みの文字サイズ」、「グループ名の文字サイズ」、「アドレスの文字サイズ」、及び「メールの文字サイズ」の各項目に対して、それぞれ「１２Ｐ」の文字サイズを自動的に設定制御する。
【００３２】
このように、当該実施の形態の携帯電話機においては、グループ全体に対してなされた設定を、そのグループに属する全員の人物に対して反映させるようになっているため、グループに属する人物のうち、一人の人物に対して設定を行えば、その設定をグループに属する全員の人物に対して反映させることができる。このため、グループに属する各人物毎に設定を行う面倒な手間を省略することができる。
【００３３】
〔個別設定〕
一方、当該携帯電話機においては、各人物毎にフォントや文字色等の表示形態を設定することも可能となっている。図２に示す例では、ユーザＢ及びユーザＣの設定が、これに相当する。各ユーザ毎に個別に表示形態の設定を行う場合、「グループのフォント」、「グループの文字色」、及び「グループの文字サイズ」を「設定なし」として設定する。そして、「名前のフォント」、「読みのフォント」、「グループ名のフォント」、「アドレスのフォント」、「メールのフォント」、「名前の文字色」、「読みの文字色」、「グループ名の文字色」、「アドレスの文字色」、「メールの文字色」、「名前の文字サイズ」、「読みの文字サイズ」、「グループ名の文字サイズ」、「アドレスの文字サイズ」、「メールの文字サイズ」に対して、それぞれ所望の設定を行う。
【００３４】
ユーザＣの場合を例にとって説明すると、「名前のフォント」としては「行書体」が、「読みのフォント」及び「グループ名のフォント」としては「明朝体」が、、「アドレスのフォント」としては「ゴシック体」が、「メールのフォント」としては「行書体」がそれぞれ設定されている。
【００３５】
また、ユーザＣの場合、「名前の文字色」としては「黄」が、「読みの文字色」としては「黒」が、「グループ名の文字色」としては「黄」が、「アドレスの文字色」としては「黒」が、「メールの文字色」としては「青」がそれぞれ設定されている。
【００３６】
また、ユーザＣの場合、「名前の文字サイズ」、「読みの文字サイズ」、「グループ名の文字サイズ」、「アドレスの文字サイズ」、及び「メールの文字サイズ」としては、それぞれ「１２Ｐ」が設定されている。
【００３７】
なお、この例では、「グループのフォント」、「グループの文字色」、及び「グループの文字サイズ」を全て「設定なし」とした場合であったが、この３つの設定のうち、いずれか一つ或いは二つに対して所望のフォントや文字色等を設定するようにしてもよい。例えば、「友人」のグループの「グループのフォント」のみを「行書体」に設定した場合、友人のグループに属するユーザＢ及びユーザＣの「名前のフォント」、「読みのフォント」、「グループ名のフォント」、「アドレスのフォント」、及び「メールのフォント」の各項目が全て自動的に「行書体」に設定されることとなる。
【００３８】
同様に、「友人」のグループの「グループの文字色」、「グループの文字サイズ」を「青」、「１６Ｐ」に設定した場合、友人のグループに属するユーザＢ及びユーザＣの「名前の文字色」、「読みの文字色」、「グループ名の文字色」、「アドレスの文字色」、及び「メールの文字色」の各項目が全て自動的に「青」に設定され、「名前の文字サイズ」、「読みの文字サイズ」、「グループ名の文字サイズ」、「アドレスの文字サイズ」、及び「メールの文字サイズ」の各項目が全て自動的に「１６Ｐ」に設定されることとなる。
【００３９】
［通信情報テーブルに基づく表示動作］
次に、このように情報通信テーブルに対して各グループ毎或いは各ユーザ毎に表示形態の設定がなされると、制御部１１は、文字の表示を行う際に、この設定を反映させた表示を行う。図３のフローチャートに、この表示動作の流れを示す。
【００４０】
この図３のフローチャートに示す各ステップの実行は、ユーザにより、操作部６を介して、着信した電話の電話番号或いは電子メールの表示操作がなされたタイミングで、当該携帯電話機の制御部１１がメモリ１０に記憶されている「文字表示プログラム」に基づいてスタートとさせる。
【００４１】
制御部１１は、この表示操作を検出すると、ステップＳ１において、この着信のあった電話の電話番号、或いは電子メールの電子メールアドレスと、上記通信情報テーブルに登録されている電話番号、或いは電子メールアドレスとを照合する。そして、この着信のあった電話の電話番号、或いは電子メールの電子メールアドレスと同じ電話番号、或いは電子メールの電子メールアドレスが通信情報テーブルに登録されているか否かを判別する。
【００４２】
着信のあった電話の電話番号、或いは電子メールの電子メールアドレスと同じ電話番号、或いは電子メールの電子メールアドレスが通信情報テーブルに登録されていない場合、及び電話番号が非通知である場合、制御部１１は、ステップＳ４に処理を進め、デフォルトの設定に基づいて、電話番号、「非通知」の文字、或いは電子メールアドレスを表示部５に表示制御する。
【００４３】
一例ではあるが、この実施の形態の携帯電話機の場合、デフォルトとして予めメーカ側で設定されている文字の表示形態は、「文字のフォント」が「ゴシック体」、「文字の色」が「黒」、「文字のサイズ」が「１０Ｐ」として設定されている。このため、制御部１１は、上記ステップＳ１において、着信のあった電話の電話番号、或いは電子メールの電子メールアドレスと同じ電話番号、或いは電子メールの電子メールアドレスが通信情報テーブルに登録されていないと判別した場合、及び電話番号が非通知であると判別した場合は、このステップＳ４において、着信のあった電話の電話番号、電子メールの電子メールアドレス、或いは「非通知」の文字を「ゴシック体」のフォント、「黒」の文字色、「１０Ｐ」の文字サイズで表示部５に表示制御する。
【００４４】
次に、ステップＳ１において、着信のあった電話の電話番号、或いは電子メールの電子メールアドレスと同じ電話番号、或いは電子メールの電子メールアドレスが通信情報テーブルに登録されているものと判別した場合、制御部１１は、ステップＳ２に処理を進める。このステップＳ２では、制御部１１が、図２に示す通信情報テーブルの「グループのフォント」、「グループの文字色」、「グループの文字サイズ」を参照することで、着信のあった電話の電話番号、或いは電子メールの電子メールアドレスに対応するユーザが属するグループに対して、「フォント」、「文字色」、或いは「文字サイズ」が設定されているか否かを判別する。そして、このグループに対する設定がなされていない場合は処理をステップＳ３に進め、このグループに対する設定がなされている場合は処理をステップＳ５に進める。
【００４５】
ステップＳ３では、上記グループに対する設定がなされていないため、制御部１１が、着信のあった電話の電話番号或いは電子メールアドレスに対応するユーザの名前等を、そのユーザに対する設定に対応する表示形態で表示制御する。
【００４６】
例えば、図２に示すユーザＢからの電話が着信した場合、このユーザＢには「名前のフォント」として「明朝体」が、「名前の文字色」として「黒」が、「名前の文字サイズ」として「１４Ｐ」が、それぞれ設定されている。このため、制御部１１は、ステップＳ３において、着信した電話の電話番号に基づいてユーザＢの名前を表示する際、このユーザＢの名前を「明朝体のフォント」で、「黒の文字色」で、かつ、「１４Ｐの文字サイズ」で表示部５に表示制御する。
【００４７】
同様に、図２に示すユーザＣからの電子メールが着信した場合、このユーザＣには「名前のフォント」として「行書体」が、「名前の文字色」として「黄」が、「名前の文字サイズ」として「１４Ｐ」が、それぞれ設定されている。このため、制御部１１は、ステップＳ３において、着信した電子メールの電子メールアドレスに基づいてユーザＣの名前を表示する際、このユーザＣの名前を「行書体のフォント」で、「黄の文字色」で、かつ、「１４Ｐの文字サイズ」で表示部５に表示制御する。
【００４８】
一方、グループに対する設定がなされているとして処理をステップＳ５に進めると、制御部１１は、着信のあった電話の電話番号或いは電子メールアドレスに対応するユーザの名前等を、そのユーザが属するグループの設定に対応する表示形態で表示制御する。
【００４９】
例えば、図２に示すユーザＡからの電話が着信した場合、このユーザＡが属する「会社」のグループには「フォント」として「ゴシック体」が、「文字色」として「赤」が、「文字サイズ」として「１２Ｐ」が、それぞれ設定されている。このため、制御部１１は、ステップＳ５において、着信した電話の電話番号に基づいてユーザＡの名前を表示する際、このユーザＡの名前を「ゴシック体のフォント」で、「赤の文字色」で、かつ、「１２Ｐの文字サイズ」で表示部５に表示制御する。
【００５０】
同じ「会社」のグループに属するユーザＤの場合も同様であり、ユーザＤからの電子メールが着信した場合、制御部１１は、上述の「会社」のグループの設定に基づいて、着信した電子メールに対応するユーザＤの名前を、「ゴシック体のフォント」で、「赤の文字色」で、かつ、「１２Ｐの文字サイズ」で表示部５に表示制御する。
【００５１】
なお、この例では、着信済みの電話の電話番号、或いは電子メールの電子メールアドレスを、予め設定されている表示形態で表示することとしたが、電話の着信中や電子メールの着信中に、この着信中の電話の電話番号や電子メールアドレス、及び発信しているユーザの名前等を、上記通信情報テーブルに登録されている表示形態で表示するようにしてもよい。
【００５２】
〔表示の具体例〕
図４に、各ユーザ毎或いは各グループ毎の設定が反映された受信メールの一覧画面、及びこの中から選択されたユーザのメール本文の表示画面の一例を示す。この図４からわかるように受信メールの一覧画面において、例えば「会社」のグループ設定のなされたユーザＡ及びユーザＤから電子メールの着信があった場合には、制御部１１により、ユーザＡ及びユーザＤの名前や受信日時等が、「ゴシック体のフォント」で、「赤の文字色」で、かつ、「１２Ｐの文字サイズ」で表示制御されることとなる。
【００５３】
また、個別に設定のなされているユーザＢの名前や受信日時は、「明朝体のフォント」で、「黒の文字色」で、かつ、「１４Ｐの文字サイズ」で表示制御され、ユーザＣの名前や受信日時は、「行書体のフォント」で、「黄の文字色」で、かつ、「１４Ｐの文字サイズ」で表示制御されることとなる。
【００５４】
また、この受信メールの一覧画面に基づいて、ユーザＡからの電子メールの表示が選択された場合、図２に示すようにこのユーザＡに対しては「会社」のグループ設定により、「ゴシック体のフォント」、「赤の文字色」、及び「１２Ｐの文字サイズ」が設定されている。このため、制御部１１は、ユーザＡからの電子メールのメール本文を表示する場合、このメール本文の文字を「ゴシック体のフォント」、「赤の文字色」、及び「１２Ｐの文字サイズ」で表示制御する。
【００５５】
また、この受信メールの一覧画面に基づいて、ユーザＣからの電子メールの表示が選択された場合、図２に示すようにこのユーザＣに対しては個別設定により、「メールのフォント」として「行書体」が、「メールの文字色」として「青」が、「メールの文字サイズ」として「１４Ｐ」がそれぞれ設定されている。このため、制御部１１は、ユーザＣからの電子メールのメール本文を表示する場合、このメール本文の文字を「行書体のフォント」、「青の文字色」、及び「１４Ｐの文字サイズ」で表示制御する。
【００５６】
［実施の形態の効果］
以上の説明から明らかなように、この実施の形態の携帯電話機は、着信した電話や受信した電子メール等に対応する文字を、受信側のユーザが希望する表示形態で表示させることができる。このため、この表示された文字の表示形態に基づいて、着信した電話や電子メールの送信元となるユーザを容易に識別可能とすることができる。
【００５７】
また、各ユーザ毎や各グループ毎に表示形態を可変することができるため、例えば発着信した電話番号の一覧画面や、送受信した電子メールの一覧画面等を、豊な表現力で表示することができる。
【００５８】
［変形例］
上述の実施の形態の説明では、通信情報テーブルに登録されているユーザや、そのユーザが属するグループに対応させて、電話番号や電子メール等の文字の表示形態を可変することとしたが、これは、各アプリケーションプログラム毎に、対応する文字の表示形態を可変するようにしてもよい。
【００５９】
この場合、ユーザは、各アプリケーションプログラムで使用するフォント、文字色、及び文字サイズを登録するテーブルに対して、該各アプリケーションプログラム毎に使用するフォント、文字色、及び文字サイズを予め登録しておく。そして、制御部１１が、アプリケーションプログラムを起動する際に、上記テーブルに登録されているフォント、文字色、及び文字サイズに基づいて、その起動するアプリケーションプログラムに対応する文字の表示形態を可変して表示制御する。
【００６０】
これにより、例えば電子メールのアプリケーションプログラムやＷＥＢブラウザのアプリケーションプログラムを起動した際に、電子メールやＷＥＢページの文字を、ユーザが指定したフォント、文字色、及び文字サイズで閲覧することができる他、上述と実施の形態と同様の効果を得ることができる。
【００６１】
また、上述の実施の形態の説明では、着信した電話や受信した電子メール等に対応する文字を、受信側のユーザが設定した表示形態で表示させることとしたが、着信中の電話や電子メールに対応する文字の他、過去に発信した電話や過去に送信した電子メールに対応する文字を、受信側のユーザが設定した表示形態で表示させるようにしてもよい。
【００６２】
また、上述の実施の形態の説明では、本発明を携帯電話機に適用することとしたが、本発明は、この他、ＰＨＳ電話機（PHS：Personal Handyphone System）、ＰＤＡ装置（PDA：Personal Digital Assistant），ノート型のパーソナルコンピュータ装置等の、文字の表示機能を有する機器であれば、どのような機器に適用してもよい。この場合でも上述と同様の効果を得ることができる。
【００６３】
最後に、上述の実施の形態は、あくまでも本発明の一例として開示したに過ぎない。このため、本発明は、上述の実施の形態に限定されることはなく、上述の実施の形態以外であっても、本発明に係る技術的思想を逸脱しない範囲であれば、設計等に応じて種々の変更が可能であることは勿論であることを付け加えておく。
【図面の簡単な説明】
【００６４】
【図１】本発明を適用した実施の形態となる携帯電話機のブロック図である。
【図２】実施の形態の携帯電話機のメモリに記憶されている通信情報テーブルに対する各設定情報の登録例を示す図である。
【図３】実施の形態の携帯電話機における文字の表示動作の流れを示すフローチャートである。
【図４】実施の形態の携帯電話機における受信した電子メールの一覧画面及びこの一覧画面から選択されたユーザの電子メール本文の表示画面の一例を示す図である。
【符号の説明】
【００６５】
１  アンテナ、２  通信回路、３  スピーカ部、４  マイクロホン部、５  表示部、６  操作部、７  発光部（ＬＥＤ）、８  カメラ部、９  バイブレーションユニット、１０  メモリ、１１  制御部
【図１】
2007094897.tif 000003
【図２】
2007094897.tif 000004
【図３】
2007094897.tif 000005
【図４】
2007094897.tif 000006